(57)【特許請求の範囲】
【請求項１】
水分及び油分を含む処理液から浮上油を分離して回収するための浮上油回収装置であって、
処理液を貯留し、浮上油を越流させる浮上油回収口を上部に有する油水分離槽と、
複数の錘が紐状に連結された錘チェーンと、
前記錘チェーンを繰出し及び繰入れして前記油水分離槽に連続的に投入及び回収可能な錘チェーン送り機構と、
処理液中の浮上油が分離した残りの油水混合液の液位を検知するセンサと、
前記センサが検出した油水混合液の液位に基づき、前記錘チェーン送り機構を制御する制御部と、を備え、
前記センサは、浮上油の色調と、浮上油が分離した残りの油水混合液の色調とを識別可能であり、前記油水分離槽の透明部分を介して油水混合液の液位を検知し、
前記制御部は、前記錘チェーン送り機構を作動させ、前記錘チェーンを前記油水分離槽に投入して処理液の液位を上昇させ、前記センサにより油水混合液の液位が前記浮上油回収口の高さの直前に達したことを検知したとき、前記チェーン送り機構を停止させることにより、浮上油のみを前記浮上油回収口から越流させて回収することを特徴とする浮上油回収装置。
【発明の詳細な説明】
【技術分野】
【０００１】
本発明は、水分及び油分を含む処理液から浮上油を分離して回収するための浮上油回収装置に関するものである。
【背景技術】
【０００２】
機械加工に使用したクーラントを回収して再利用する場合、使用済のクーラントは、作動油、潤滑油等の油分を含んでいるため、水分と油分とを分離する必要がある。使用済のクーラント等の水分及び油分を含む処理液の水分と油分とを分離する場合、比重差により液面に浮上した油分を浮上油として分離して回収することができる。
【０００３】
処理液中の水分と油分との比重差を利用した浮上油回収装置として、例えば特許文献１に記載されたものが公知である。特許文献１に記載された浮上油回収装置は、タンク内に貯留した処理液の浮上油をフロート付の吸引手段で吸引して油水分離槽に送り、油水分離槽において、処理液の液位を一定に維持しながら浮上油を越流させて回収するようにしている。
【先行技術文献】
【特許文献】
【０００４】
【特許文献１】特開２００４−３０５８４７号公報
【発明の概要】
【発明が解決しようとする課題】
【０００５】
しかしながら、特許文献１に記載された浮上油回収装置では、次のような問題がある。
この浮上油回収装置は、フロート付の吸引手段を備えたタンク、及び、油水分離槽を用いるため、設備が大きくなり、コストもかかる。
【０００６】
本発明は、上記の点に鑑みてなされたものであり、簡単な構造で効率よく浮上油を回収することができる浮上油回収装置を提供することを目的とする。
【課題を解決するための手段】
【０００７】
上記の課題を解決するために、本発明は、水分及び油分を含む処理液から浮上油を分離して回収するための浮上油回収装置であって、
処理液を貯留し、浮上油を越流させる浮上油回収口を上部に有する油水分離槽と、
複数の錘が紐状に連結された錘チェーンと、
前記錘チェーンを繰出し及び繰入れして前記油水分離槽に連続的に投入及び回収可能な錘チェーン送り機構と、
処理液中の浮上油が分離した残りの油水混合液の液位を検知するセンサと、
前記センサが検出した油水混合液の液位に基づき、前記錘チェーン送り機構を制御する制御部と、を備え、
前記センサは、浮上油の色調と、浮上油が分離した残りの油水混合液の色調とを識別可能であり、前記油水分離槽の透明部分を介して油水混合液の液位を検知し、
前記制御部は、前記錘チェーン送り機構を作動させ、前記錘チェーンを前記油水分離槽に投入して処理液の液位を上昇させ、前記センサにより油水混合液の液位が前記浮上油回収口の高さの直前に達したことを検知したとき、前記チェーン送り機構を停止させることにより、浮上油のみを前記浮上油回収口から越流させて回収することを特徴とする。
【発明の効果】
【０００８】
本発明に係る浮上油回収装置によれば、処理液を貯留した油水分離槽に、錘チェーン送り機構によって紐状に連結された錘チェーンを連続的に投入し、処理液の液位を上昇させて、浮上油を浮上油回収口から越流させて回収する。浮上油を分離した残りの油水混合液の液位をセンサによって監視し、油水混合液が浮上油回収口に達する前に錘チェーン送り機構を停止することにより、油水混合液の越流を防止して浮上油のみを効率よく回収することができる。
【図面の簡単な説明】
【０００９】
【図１】本発明の実施形態に係る浮上油回収装置の概略構成を示す斜視図である。
【図２】図１の浮上油回収装置による浮上油回収工程を示す説明図である。
【図３】図１の浮上油回収装置による浮上油回収工程を示すフローチャートである。
【発明を実施するための形態】
【００１０】
以下、本発明の実施形態を図面に基づいて詳細に説明する。
本実施形態に係る浮上油回収装置は、機械加工に利用した使用済みのクーラント等の水分及び油分を含む処理液から比重差によって浮上油を分離して回収するためのものである。
【００１１】
図１に示すように、本実施形態に係る浮上油回収装置１は、使用済みのクーラント等の油分及び水分を含む処理液Ｌ（浮上油Ｏ及び残りのエマルジョンＥに分離した状態で図示されている）を貯留する油水分離槽２と、油水分離槽２に投入される紐状に連結された錘チェーン３と、錘チェーン３を繰り繰入れ、繰出しする錘チェーン送り機構４と、油水分離槽２内のエマルジョンＥを検知するためのセンサ５と、錘チェーン送り機構４の作動を制御する制御盤６と、を備えている。
【００１２】
油水分離槽２は、処理液Ｌを注入して貯留して静置し、油分と水分とを比重差により分離するものである。使用済みクーラント等の処理液は、潤滑油等の油分及び水溶性クーラント等の水分を含み、油水分離槽２内に静置することにより、比重の小さい油分が浮上することにより、浮上油Ｏと、残りの油水混合液（水分中に油分が分散した状態のエマルジョンＥ）とに分離される。油水分離槽２の上部には、浮上した油分、すなわち浮上油Ｏを越流させて油水分離槽２から外部へ流出させるための浮上油回収口７が設けられている。
【００１３】
錘チェーン３は、油水分離槽２内の処理液Ｌに沈めて処理液の液位を上昇させるための複数の錘３Ａを紐状体３Ｂで連結して紐状にしたものである。錘３Ａは、処理液Ｌに投入されたれたとき、処理液Ｌの撹拌を抑えて静置状態を維持しつつ、沈降して処理液Ｌの液位（液面の高さ）を調節できるように、比重及び体積が設定されている。また、錘３Ａ及び紐状体３Ｂは、処理液の成分に影響しないように油分及び水分に対して耐食性を有する合成樹脂、あるいは、ステンレス鋼等の材質で構成されている。
【００１４】
錘チェーン送り機構４は、紐状の錘チェーン３が巻回されるローラ８と、ローラ８を回転駆動するモータ９とを備えており、モータ９でローラ８を正逆回転させて、錘チェーン３を繰出し及び繰入れすることにより、錘チェーン３を油水分離槽２に連続的に投入することができ、また、回収することができるようになっている。
【００１５】
センサ５は、浮上油Ｏが分離した残りの油水混合液（エマルジョンＥ）の液位（液面の高さ、すなわち、浮上油ＯとエマルジョンＥとの境界の位置）を検知するためのものである。本実施形態では、センサ５は、浮上油０の色調（一般的には黒色）と、残りの油水混合液（エマルジョンＥ）の色調（乳白色）とを識別可能なカラーセンサである。油水分離槽２には、浮上油Ｏを越流させる浮上油回収口７の高さに対応する部位に透明の窓部（図示せず）が設けられており、センサ５は、この窓部に対向させて配置されている。そして、センサ５は、エマルジョンＥが浮上油回収口７の高さの直前の液位に達したとき、その乳白色の色調を検知して検知信号を出力する。なお、センサ５は、エマルジョンＥの液位を検知できるものであればよく、例えば浮上油ＯとエマルジョンＥとの明暗を検知するもの、あるいは、他の種類のセンサでもよく、また、他の部位に配置されてもよい。
【００１６】
制御盤６は、手動による錘チェーン送り機構４のモータ９のオン、オフ及び正逆回転の切換を行うスイッチ６Ａと、センサ５の検知信号に基づいてモータ９の作動を制御する制御部６Ｂとを備えている。この制御部６Ｂは、センサ５が油水分離槽２内のエマルジョンＥの液位が浮上油回収口７の高さの直前に達したのを検知したとき、その検知信号を受けてモータ９を停止するようになっている。
【００１７】
以上のように構成した本実施形態の作用について図２及び図３をも参照して説明する。
図２（Ａ）に示すように、油水分離槽２内に処理液を貯留して静置し、比重差により浮上油ＯとエマルジョンＥとを分離する。制御盤６のスイッチ６Ａを操作し（図３のステップＳ１）、モータ９によりローラ８を正回転させて錘チェーン３を繰出して油水分離槽２内の処理液Ｌへの投入を開始する（図３のステップＳ２）。
【００１８】
図２（Ｂ）に示すように、油水分離槽２内への錘チェーン３の投入により、油水分離槽２内の処理液Ｌの液位が上昇し（図３のステップＳ３）、浮上油Ｏが処理液回収口７の高さに達すると、処理液回収口７を越流する（図３のステップＳ４）。そして、処理液回収口７を越流した浮上油Ｏを回収する。このとき、複数の錘３Ａを紐状体３Ｂにより紐状に連結した紐状の錘チェーン３を錘チェーン送り機構４によって繰出して、油水分離槽２内に連続的に投入することにより、処理液Ｌの撹拌を抑えて静置状態を維持することができ、浮上油Ｏを効率よく分離、回収することができる。
【００１９】
図２（Ｃ）に示すように、錘チェーン３の投入により浮上油Ｏの回収がほぼ終了し、エマルジョンＥの液位が処理液回収口７の直前の高さに達すると、カラーセンサであるセンサ５がエマルジョンＥの乳白色の色調を検知する（図３のステップＳ５）。そして、センサ５の検知信号により制御盤６の制御部６Ｂが錘チェーン送り機構４のモータ９を停止させ（図３のステップＳ６）、錘チェーン３の投入を停止する。これにより、エマルジョンＥが浮上油回収口７を越流することがない。なお、エマルジョンＥの液位が、液回収口７の直前の高さに達するまでは、センサ５が検知信号を出力せず、図３のステップＳ５からステップＳ２へ戻る。浮上油Ｏの回収後、操作盤６のスイッチ６Ａを操作して、モータ９を逆回転させ、ローラ８によって錘チェーン３を繰入れて油水分離槽２に投入した錘チェーン３を回収する。
【００２０】
このようにして、浮上油回収装置１は、簡単な構造で、油水分離槽２内において処理液Ｌを浮上油ＯとエマルジョンＥとに分離して、浮上油Ｏを効率よく回収することができる。
【符号の説明】
【００２１】
１…浮上油回収装置、２…油水分離槽、３…錘チェーン、４…錘チェーン送り機構、５…センサ、７…浮上油回収口、Ｅ…エマルジョン（油水混合液）、Ｏ…浮上油、Ｌ…処理液
【図１】
0006536824.tif 000002
【図２】
0006536824.tif 000003
【図３】
0006536824.tif 000004